(57)【要約】【課題】  医療費控除の申告額を容易に知ることができるようにする。【解決手段】  ＰＯＳ端末１０は、医療費控除対象となる商品の識別子と金額とを記録したレシートと、処方箋または医師の証明書があれば医療費控除対象となる商品の識別子と金額とを記録したレシートを出力する。携帯電話機４０は、これらのレシートに記録された識別子と金額とを読取り、サービスサーバ装置５０へ送信する。サービスサーバ装置５０は、識別子と金額とを、医療費控除の対象となる第１控除商品のグループと、医療費控除の際に処方箋または医師の証明書を必要とする第２控除商品のグループに分類する。そして、分類された販売金額の合計を第１控除商品のグループと第２控除商品のグループ毎に算出する。携帯電話機４０は、各グループの販売金額の合計を、第１控除商品グループと第２控除商品グループとで別々に表示する。【選択図】      図１
2006309273.tif 000002
【特許請求の範囲】
【請求項１】
商品を特定する識別子と、該識別子で特定される商品の販売金額とが記録された記録用紙から、前記識別子と前記販売金額とを読み取る読取部と、
前記読取部にて読み取られた識別子と販売金額とを対応付けて記憶する記憶部と、
前記記憶部に記憶された識別子で特定される商品が、医療費控除の対象となる第１控除商品であるか、医療費控除の際に処方箋または医師の証明書を必要とする第２控除商品であるかを判定し、該識別子と、該識別子に対応付けて記憶部に記憶された販売金額とを、判定結果に応じて第１控除商品のグループまたは第２控除商品のグループに分類する第１分類部と、
前記第１分類部により分類された販売金額の合計を前記第１控除商品のグループと前記第２控除商品のグループ毎に算出する算出部と、
前記算出部により算出された各グループの販売金額の合計を、第１控除商品グループと第２控除商品グループとで別々に表示する表示部と
を有する医療費控除サポートシステム。
【請求項２】
商品を特定する識別子が入力される識別子入力部と、
前記識別子入力部に入力された識別子で特定される商品の販売金額を特定する金額特定部と、
前記識別子入力部に入力された識別子と、前記金額特定部にて特定された販売金額とを記録用紙に記録する出力部と
を有し、
前記読取部は、前記出力部から出力された記録用紙を読取ること
を特徴とする請求項１に記載の医療費控除サポートシステム。
【請求項３】
前記出力部は、前記識別子と、前記販売金額とを二次元シンボルに変換して前記記録用紙に記録することを特徴とする請求項２に記載の医療費控除サポートシステム。
【請求項４】
前記識別子入力部に入力された識別子で特定される商品が、医療費控除の対象となる第１控除商品であるか、医療費控除の際に処方箋または医師の証明書を必要とする第２控除商品であるかを判定し、該識別子と、前記金額特定部で特定された販売金額とを、判定結果に応じて第１控除商品のグループまたは第２控除商品のグループに分類する第２分類部を有し、
前記出力部は、前記第１控除商品のグループに分類された識別子および販売金額と、前記第２控除商品のグループに分類された識別子および販売金額とを別々の記録用紙に出力すること
を特徴とする請求項２に記載の医療費控除サポートシステム。
【発明の詳細な説明】
【技術分野】
【０００１】
本発明は、医療控除の対象となる商品の情報を出力する技術に関する。
【背景技術】
【０００２】
近年、薬局やドラッグストアにおいては、医療費控除の対象となる医薬品だけでなく、雑貨や日用品など医薬品以外の物品も販売されているため、医療費控除対象の物品と、医療費控除対象外の物品の両方を購入すると、金銭登録器からは、両方の物品の金額が混在したレシートが出力されることとなる。しかし、日用品等への支払い金額は医療費控除の対象とはならないため、医療費控除を受けようとする際には、医療費控除対象の物品および医療費控除対象外の物品の両方が記載されたレシートから日用品など医療費控除対象外の物品の金額を除外し、医療費控除の対象となる物品の金額を抽出して集計する必要がある。
【０００３】
このような作業は非常に繁雑であり面倒であるため、近年、このような作業にかかる手間を低減する装置が考案されている。例えば、特許文献１に開示されたＰＯＳ（Point Of Sale）端末は、顧客が物品を購入すると、顧客が購入した物品の物品名、物品の購入日、金額、物品が医療費控除対象であるか否かを示す医療費控除フラグとを対応付けて、顧客が所持するＩＣカードに記録する。そして、ＩＣカードに記録された医療費控除フラグに基づいて、医療費控除対象となる物品の商品名と購入金額とを抽出し、抽出した物品の商品名と金額とをまとめて印刷する。
また、特許文献２に開示されたＰＯＳ端末は、顧客の購入した商品が医療費控除対象であるか否かを判断し、医療費控除対象の商品名及び金額と、医療費控除対象外の商品名および金額とを別々の領域に分けて印刷し、顧客に提供する。
これらの技術によれば、医療費控除対象の物品とこの物品の購入金額とを容易に知ることができるようになり、医療費控除を受けようとする者は、繁雑な作業を行うことなく、医療費控除を受けることが可能となる。
【特許文献１】特開２０００−３０６１６５号公報
【特許文献２】特開２００４−９４３０９号公報
【発明の開示】
【発明が解決しようとする課題】
【０００４】
ところで、薬局やドラッグストア等で購入できる商品の中には、通常は医療費控除対象外となっているが、医師の処方箋または医師の証明書があれば、医療費控除の対象になる物品（例えば、成人用おむつ、眼帯等）がある。特許文献１，２に開示されているシステムにおいては、このように医師の処方箋があれば医療費控除の対象になる物品についての対応は記載も示唆もない。このため、これらの商品について医療費控除を受けようとすると、結局、従来と同様に物品の購入に支払った金額をレシートから抽出して集計するという繁雑な作業を行わなければならなかった。
【０００５】
本発明は、上述した背景の下になされたものであり、医療費控除の申告額を容易に知ることができるようにすることを目的とする。
【課題を解決するための手段】
【０００６】
上述した課題を解決するために本発明は、商品を特定する識別子と、該識別子で特定される商品の販売金額とが記録された記録用紙から、前記識別子と前記販売金額とを読み取る読取部と、前記読取部にて読み取られた識別子と販売金額とを対応付けて記憶する記憶部と、前記記憶部に記憶された識別子で特定される商品が、医療費控除の対象となる第１控除商品であるか、医療費控除の際に処方箋または医師の証明書を必要とする第２控除商品であるかを判定し、該識別子と、該識別子に対応付けて記憶部に記憶された販売金額とを、判定結果に応じて第１控除商品のグループまたは第２控除商品のグループに分類する第１分類部と、前記第１分類部により分類された販売金額の合計を前記第１控除商品のグループと前記第２控除商品のグループ毎に算出する算出部と、前記算出部により算出された各グループの販売金額の合計を、第１控除商品グループと第２控除商品グループとで別々に表示する表示部とを有する医療費控除サポートシステムを提供する。
【０００７】
また、好ましい態様において、商品を特定する識別子が入力される識別子入力部と、前記識別子入力部に入力された識別子で特定される商品の販売金額を特定する金額特定部と、前記識別子入力部に入力された識別子と、前記金額特定部にて特定された販売金額とを記録用紙に記録する出力部とを有し、前記読取部は、前記出力部から出力された記録用紙を読取るようにしてもよい。
【０００８】
また、好ましい態様において、前記出力部は、前記識別子と、前記販売金額とを二次元シンボルに変換して前記記録用紙に記録するようにしてもよい。
【０００９】
また、好ましい態様において、前記識別子入力部に入力された識別子で特定される商品が、医療費控除の対象となる第１控除商品であるか、医療費控除の際に処方箋または医師の証明書を必要とする第２控除商品であるかを判定し、該識別子と、前記金額特定部で特定された販売金額とを、判定結果に応じて第１控除商品のグループまたは第２控除商品のグループに分類する第２分類部を有し、前記出力部は、前記第１控除商品のグループに分類された識別子および販売金額と、前記第２控除商品のグループに分類された識別子および販売金額とを別々の記録用紙に出力するようにしてもよい。
【発明を実施するための最良の形態】
【００１０】
以下、図面を参照して本発明の実施形態について説明する。
［全体構成］
図１は、本発明の実施形態に係る通信システムの全体構成図である。金銭登録器と同様の機能を持つＰＯＳ端末１０は、ドラッグストア等の店舗に設置され、店舗内に設けられている通信ネットワーク３０に接続されている。また、同じく店舗内の通信ネットワーク３０には、店舗内で販売される商品に関する各種データを記憶したサーバ装置２０が接続されている。サーバ装置２０とＰＯＳ端末１０は通信機能を有しており、通信ネットワーク３０を介してデータの授受を行う。そして、ＰＯＳ端末１０は、通信ネットワーク３０を介してサーバ装置２０と通信を行い、サーバ装置２０から各種データを取得してレシートの印刷を行う。なお、店舗内には、複数のＰＯＳ端末が設置されるが、図面が煩雑になるのを防ぐため、図１においては一つのＰＯＳ端末のみを示している。
【００１１】
携帯電話機４０は、データ通信を行う機能を備えた携帯電話機である。携帯電話機４０は、データ通信サービスを提供する移動体通信網６０Ａ、およびインターネット６０Ｂを介してデータ通信を行い、インターネット６０Ｂに接続されたコンピュータ装置と通信を行うことが可能となっている。サービスサーバ装置５０は、クライアントとなる端末装置へ各種データを提供するサーバ装置である。サービスサーバ装置５０は、インターネット６０Ｂに接続されており、携帯電話機４０から送信されるデータを受信して記憶する機能や、記憶したデータを纏め、纏めた結果を携帯電話機４０へ提供する機能を備えている。
【００１２】
［ＰＯＳ端末１０の構成］
次にＰＯＳ端末１０の詳細について説明する。図２はＰＯＳ端末１０の外観図である。図２に示したように、ＰＯＳ端末１０は、紙幣や硬貨を収納するドロアユニット１０Ａ、テンキー等の各種キーを備えた操作部１０Ｂ、各種情報を表示する第１液晶ディスプレイ１０Ｃ、顧客に対して各種情報を表示する第２液晶ディスプレイ１０Ｄ、レシートを印刷するプリンタ１０Ｅ、商品パッケージに印刷されているＪＡＮコードのバーコードを読み取るバーコードスキャナ１０Ｆを備えている。
【００１３】
図３は、ＰＯＳ端末１０のハードウェア構成を示したブロック図である。図３に示したように、ＰＯＳ端末１０の各部は、バス１０１に接続されており、このバス１０１を介して各部間でデータの授受を行う。通信部１０６は、通信線（図示略）で通信ネットワーク３０に接続されており、ＰＯＳ端末１０が通信ネットワーク３０を介して通信を行う際、通信ネットワーク３０との間で通信の仲介をする通信インターフェースとして機能する。
【００１４】
ＲＯＭ１０３は、制御プログラムを記憶している。ＣＰＵ１０２は、図示を省略した電源から電力が供給されると、ＲＯＭ１０３から制御プログラムを読み出して実行する。そして、ＣＰＵ１０２が制御プログラムを実行すると、ＰＯＳ端末１０の各部がＣＰＵ１０２により制御され、日時を計時する機能や、サーバ装置２０と通信を行う機能、金銭登録器の機能等が実現する。
【００１５】
［サーバ装置２０の構成］
次にサーバ装置２０の構成について説明する。図４は、サーバ装置２０のハードウェア構成を示したブロック図である。図４に示したように、サーバ装置２０の各部は、バス２０１に接続されており、このバス２０１を介して各部間でデータの授受を行う。通信部２０６は、通信線（図示略）で通信ネットワーク３０に接続されており、サーバ装置２０が通信ネットワーク３０を介して通信を行う際、通信ネットワーク３０との間で通信の仲介をする通信インターフェースとして機能する。
【００１６】
記憶部２０５は、例えばハードディスク装置など、データを永続的に記憶する装置（図示略）を有しており、サーバ装置２０の各部を制御するためのＯＳ（Operating System）ソフトウェアや、商品マスタテーブルＴＢ１などを記憶している。
図５は、記憶部２０５が記憶している商品マスタテーブルＴＢ１のフォーマットを例示した図である。商品マスタテーブルＴＢ１には、商品を一意に識別できるＪＡＮ（Japan Article Number）コードに対応付けて、ＪＡＮコードで特定される商品の商品名と、商品の効能／効果／用途と、商品の単価とが格納されている。また、商品マスタテーブルＴＢ１には、商品が医療費控除対象の商品であるか否かを示す区分データがＪＡＮコードに対応付けて格納されている。区分データは、医療費控除対象であるか否かを数値によって示しており、例えば本実施形態においては、値が「０」である場合には商品が医療費控除対象外であることを示し、値が「１」である場合には商品が医療費控除対象であることを示し、値が「２」である場合には処方箋または医師の証明書があれば医療費控除対象となる商品であることを示している。
【００１７】
ＲＯＭ２０３は、ＩＰＬ（Initial Program Loader）と呼ばれるプログラムを記憶しており、ＣＰＵ２０２は、図示を省略した電源から電力が供給されると、ＲＯＭ２０３からＩＰＬを読み出して実行する。ＣＰＵ２０２は、ＩＰＬを実行すると、記憶部２０５からＯＳソフトウェアを読み出して起動する。ＣＰＵ２０２が、ＯＳソフトウェアを起動すると、クライアントとなるＰＯＳ端末１０と通信を行い、ＰＯＳ端末１０へ各種データを提供する機能が実現する。
【００１８】
［携帯電話機４０の構成］
次に携帯電話機４０の構成について説明する。図６は、携帯電話機４０のハードウェア構成を示したブロック図である。図６に示したように、携帯電話機４０の各部は、バス４０１に接続されており、このバス４０１を介して各部間でデータの授受を行う。無線通信部４０６は、携帯電話機４０が音声通信やデータ通信を行う際、移動体通信網６０Ａの無線基地局（図示略）との間で通信の仲介を行う通信インターフェースとして機能する。操作部４０７は、携帯電話機４０を操作するための複数のキー（図示略）を有しており、キーが押下されると、押下されたキーを示す信号をＣＰＵ４０２へ供給する。表示部４０８は、液晶ディスプレイ装置を備えており、ＣＰＵ４０２の制御の下、文字やグラフィック画面、携帯電話機４０を操作するためのメニュー画面などを表示する。カメラ部４０９は、例えば、光を電気信号に変換するＣＣＤ（Charge Coupled Device）などの半導体素子を具備しており、この電気信号をデジタルデータに変換し、このデジタルデータからＣＣＤが捉えた像を示す画像ファイルを生成する。
【００１９】
記憶部４０５は、データを永続的に記憶する不揮発性メモリを有しており、携帯電話機４０の各部を制御するＯＳソフトウェアを記憶している。また、記憶部４０５は、携帯電話機４０に各種機能を実現させるアプリケーションソフトウェアを記憶しており、カメラ部４０９が生成した画像ファイルから各種データを抽出する機能、抽出したデータをサービスサーバ装置５０へ送信する機能、およびサービスサーバ装置５０から送信されたデータを表示する機能を実現するアプリケーションソフトウェア（以下、アプリソフトと称する）を記憶している。また、記憶部４０５は、携帯電話機４０を一意に識別する端末識別子として、例えば、当該携帯電話機４０のユーザに付与された電話番号を記憶している。
【００２０】
ＲＯＭ４０３は、ＩＰＬを記憶している。ＣＰＵ４０２は、図示を省略した電源から電力が供給されると、ＲＯＭ４０３からＩＰＬを読み出して実行する。ＣＰＵ４０２は、ＩＰＬを実行すると、記憶部４０５からＯＳソフトウェアを読み出して起動し、ＲＡＭ４０４を作業エリアとして携帯電話機４０の各部の制御を行う。そしてＯＳソフトウェアを起動したＣＰＵ４０２は、ＣＰＵ４０２に入力される信号に応じた処理を行う。例えば、携帯電話機４０の使用者が、操作部４０７が有するキーを操作してアプリソフトの実行を指示する操作を行うと、ＣＰＵ４０２は、操作部４０７から供給される信号と表示部４０８に表示されている画面とに基づいて使用者の指示を特定し、記憶部４０５からアプリソフトを読み出して起動する。ＣＰＵ４０２が、アプリソフトを起動すると、カメラ部４０９で読み取った画像から各種データを抽出する機能や、抽出したデータをサービスサーバ装置５０へ送信する機能、およびサービスサーバ装置５０から送信されるデータを受信して表示する機能が実現する。
【００２１】
［サービスサーバ装置５０の構成］
次にサービスサーバ装置５０の構成について説明する。図７は、サービスサーバ装置５０のハードウェア構成を示したブロック図である。図７に示したように、サービスサーバ装置５０の各部は、バス５０１に接続されており、このバス５０１を介して各部間でデータの授受を行う。通信部５０６は、通信線（図示略）でインターネット６０Ｂに接続されており、サービスサーバ装置５０がインターネット６０Ｂを介して通信を行う際、インターネット６０Ｂとの間で通信の仲介をする通信インターフェースとして機能する。
【００２２】
記憶部５０５は、例えばハードディスク装置など、データを永続的に記憶する装置（図示略）を有しており、サービスサーバ装置５０の各部を制御するためのＯＳソフトウェアや、各種テーブルなどを記憶している。
図８は、記憶部５０５が記憶している医療費控除判定テーブルＴＢ２のフォーマットを例示した図である。医療費控除判定テーブルＴＢ２には、ドラッグストア等で販売されている商品に対応したＪＡＮコードに対応付けて、商品の効能／効果／用途を示すデータが格納される。また、医療費控除判定テーブルＴＢ２には、ＪＡＮコードで特定される商品が医療費控除対象であるか否かを表す区分データが格納される。
【００２３】
ＲＯＭ５０３は、ＩＰＬを記憶しており、ＣＰＵ５０２は、図示を省略した電源から電力が供給されると、ＲＯＭ５０３からＩＰＬを読み出して実行する。ＣＰＵ５０２は、ＩＰＬを実行すると、記憶部５０５からＯＳソフトウェアを読み出して起動する。ＣＰＵ５０２が、ＯＳソフトウェアを起動すると、クライアントとなる携帯電話機４０と通信を行い、携帯電話機４０へ各種データを提供する機能が実現する。
【００２４】
［実施形態の動作］
次に本実施形態の動作について説明する。なお、以下の説明においては、携帯電話機４０のユーザが、ＰＯＳ端末１０が設置されたドラッグストアで医薬品や日用品、処方箋または医師の証明書があれば医療控除対象となる商品を購入する場合を想定して動作の説明を行う。
【００２５】
まず、携帯電話機４０のユーザが、ＰＯＳ端末１０が設置されている場所へ複数の商品を持参すると、ドラッグストアの店員により、バーコードスキャナ１０Ｆが操作され、各商品のパッケージに印刷されたＪＡＮコードのバーコードが読み取られる。バーコードスキャナ１０Ｆによりバーコードが読み取られると（図９：ステップＳＡ１０；ＹＥＳ）、ＣＰＵ１０２は読み取ったバーコードを解析し、バーコードが表すＪＡＮコードを抽出する（ステップＳＡ１１）。例えば、まず商品名が「○○風邪薬」である商品のバーコードが読み取られると、この風邪薬を特定する「４９○○○○○×××××△」というＪＡＮコードが抽出される。ＣＰＵ１０２は、ＪＡＮコードを抽出すると、抽出したＪＡＮコードをサーバ装置２０へ送信する（ステップＳＡ１２）。
【００２６】
この送信されたＪＡＮコードがサーバ装置２０の通信部２０６にて受信されると（図１０：ステップＳＢ１；ＹＥＳ）、ＣＰＵ２０２は、受信したＪＡＮコードと同じＪＡＮコードを、商品マスタテーブルＴＢ１に格納されているＪＡＮコードの中から検索する（ステップＳＢ２）。ＣＰＵ２０２は、受信したＪＡＮコードと同じＪＡＮコードを見つけると、このＪＡＮコードに対応付けて格納されている商品名「○○風邪薬」、効能／効果／用途「風邪薬」、単価「６５０円」、および区分データ「１」を商品マスタテーブルＴＢ１から読出す（ステップＳＢ３）。そして、通信部２０６を制御し、読み出した商品名、効能／効果／用途、単価、および区分データをＰＯＳ端末１０へ送信する（ステップＳＢ４）。
【００２７】
ＰＯＳ端末１０は、サーバ装置２０から送信された商品名、単価、および区分データを受信すると（ステップＳＡ１３；ＹＥＳ）、送信したＪＡＮコードと、受信した商品名、単価、および区分データを対応付けてＲＡＭ１０４に記憶させる（ステップＳＡ１４）。そして、受信した商品名および単価を第１液晶ディスプレイ１０Ｃと第２液晶ディスプレイ１０Ｄに表示する（ステップＳＡ１５）。
【００２８】
次に、例えば、商品名が「△△歯ブラシ」である商品のバーコードが読み取られると（ステップＳＡ１０；ＹＥＳ）、ＣＰＵ１０２は、この歯ブラシを特定する「４９□□□□□△△△△△×」というＪＡＮコードを抽出し（ステップＳＡ１１）、抽出したＪＡＮコードをサーバ装置２０へ送信する（ステップＳＡ１２）。
【００２９】
この送信されたＪＡＮコードがサーバ装置２０の通信部２０６にて受信されると（ステップＳＢ１；ＹＥＳ）、ＣＰＵ２０２は、受信したＪＡＮコードと同じＪＡＮコードを、商品マスタテーブルＴＢ１に格納されているＪＡＮコードの中から検索する（ステップＳＢ２）。ＣＰＵ２０２は、受信したＪＡＮコードと同じＪＡＮコードを見つけると、このＪＡＮコードに対応付けて格納されている商品名「△△歯ブラシ」、効能／効果／用途「オーラルケア」、単価「１２０円」、および区分データ「０」を読出す（ステップＳＢ３）。そして、通信部２０６を制御し、読み出した商品名、効能／効果／用途、単価、および区分データをＰＯＳ端末１０へ送信する（ステップＳＢ４）。
【００３０】
ＰＯＳ端末１０は、サーバ装置２０から送信された商品名、効能／効果／用途、単価、および区分データを受信すると（ステップＳＡ１３；ＹＥＳ）、送信したＪＡＮコードと、受信した商品名、効能／効果／用途、単価、および区分データを対応付けてＲＡＭ１０４に記憶させる（ステップＳＡ１４）。そして、受信した商品名および単価を第１液晶ディスプレイ１０Ｃと第２液晶ディスプレイ１０Ｄに表示する（ステップＳＡ１５）。
【００３１】
次に、例えば商品名が「□□オムツ」である商品のバーコードが読み取られると（ステップＳＡ１０；ＹＥＳ）、ＣＰＵ１０２は、「４９×××××○○○○○□」というＪＡＮコードを抽出し（ステップＳＡ１１）、抽出したＪＡＮコードをサーバ装置２０へ送信する（ステップＳＡ１２）。
【００３２】
この送信されたＪＡＮコードがサーバ装置２０の通信部２０６にて受信されると（ステップＳＢ１；ＹＥＳ）、ＣＰＵ２０２は、受信したＪＡＮコードと同じＪＡＮコードを、商品マスタテーブルＴＢ１に格納されているＪＡＮコードの中から検索する（ステップＳＢ２）。ＣＰＵ２０２は、受信したＪＡＮコードと同じＪＡＮコードを見つけると、このＪＡＮコードに対応付けて格納されている商品名「□□オムツ」、効能／効果／用途「成人用オムツ」、単価「１６５０円」、および区分データ「２」を読出す（ステップＳＢ３）。そして、通信部２０６を制御し、読み出した商品名、効能／効果／用途、単価、および区分データをＰＯＳ端末１０へ送信する（ステップＳＢ４）。
【００３３】
ＰＯＳ端末１０は、サーバ装置２０から送信された商品名、単価、および区分データを受信すると（ステップＳＡ１３；ＹＥＳ）、送信したＪＡＮコードと、受信した商品名、単価、および区分データを対応付けてＲＡＭ１０４に記憶させる（ステップＳＡ１４）。そして、受信した商品名および単価を第１液晶ディスプレイ１０Ｃと第２液晶ディスプレイ１０Ｄに表示する（ステップＳＡ１５）。
【００３４】
次に店員が操作部１０Ｂにある小計キーを押下すると（ステップＳＡ２；ＹＥＳ）、ＣＰＵ１０２は、ＲＡＭ１０４に記憶されている商品金額を加算し（ステップＳＡ３）、加算結果を第１液晶ディスプレイ１０Ｃと第２液晶ディスプレイ１０Ｄに表示する（ステップＳＡ４）。この後、携帯電話機４０のユーザが金銭を支払うと、店員により操作部１０Ｂが操作され、携帯電話機４０のユーザが支払った代金が入力される（ステップＳＡ５；ＹＥＳ）。ＣＰＵ１０２は、入力された金額からステップＳＡ３で求めた金額を減算してユーザに支払う釣銭の金額を求め（ステップＳＡ６）、求めた金額を液晶ディスプレイに表示させると共に（ステップＳＡ７）、ドロアユニット１０Ａを開ける（ステップＳＡ８）。
【００３５】
次にＣＰＵ１０２は、プリンタ１０Ｅを制御し、レシートの印刷を行う（ステップＳＡ９）。具体的には、まずＣＰＵ１０２は、数値が「１」となっている区分データをＲＡＭ１０４に記憶されているデータの中から検索する。例えば、上述したように商品名が「○○風邪薬」である商品が購入された場合、数値が「１」となっている区分データを見つけると、見つけた区分データに対応付けて記憶されているＪＡＮコード「４９○○○○○×××××△」と、商品名「○○風邪薬」と、効能／効果／用途「風邪薬」と、金額「６５０円」とがＲＡＭ１０４から読み出される。そして、ＣＰＵ１０２は、この時点での日時（例えば、2005/03/31-PM1:00）と、読み出したＪＡＮコード、商品名、効能／効果／用途および金額のデータを含む二次元シンボルを生成し、図１３（ａ）に例示したように、生成した二次元シンボルと、日時、効能／効果／用途、商品名、金額、および読み出した金額の合計とを記録用紙に印刷して出力する。
【００３６】
次にＣＰＵ１０２は、数値が「２」となっている区分データをＲＡＭ１０４に記憶されているデータの中から検索する。例えば、上述したように商品名が「□□オムツ」である商品が購入された場合、数値が「２」となっている区分データを見つけると、見つけた区分データに対応付けて記憶されているＪＡＮコード「４９×××××○○○○○□」、商品名「□□オムツ」と、効能／効果／用途「成人用オムツ」と、金額「１６５０円」とがＲＡＭ１０４から読み出される。そして、ＣＰＵ１０２は、この時点の日時と、読み出したＪＡＮコード、商品名、効能／効果／用途および金額のデータを含む二次元シンボルを生成し、図１３（ｂ）に例示したように、生成した二次元シンボルと、日時、商品名、効能／効果／用途、金額、および読み出した金額の合計とを記録用紙に印刷して出力する。
【００３７】
次にＣＰＵ１０２は、数値が「０」となっている区分データをＲＡＭ１０４に記憶されているデータの中から検索する。例えば、上述したように商品名が「△△歯ブラシ」である商品が購入された場合、数値が「０」となっている区分データを見つけると、見つけた区分データに対応付けて記憶されているＪＡＮコード「４９□□□□□△△△△△×」、商品名「△△歯ブラシ」と、効能／効果／用途「オーラルケア」と、金額「１２０円」とがＲＡＭ１０４から読み出される。そして、ＣＰＵ１０２は、この時点の日時と、読み出したＪＡＮコード、商品名、効能／効果／用途および金額のデータを含む二次元シンボルを生成し、図１３（ｃ）に例示したように、生成した二次元シンボルと、日時、商品名、効能／効果／用途、金額、および読み出した金額の合計とを記録用紙に印刷して出力し、レシートの印刷処理を終了する。
【００３８】
携帯電話機４０のユーザは、商品の代金支払いが終了し、図１３（ａ）〜図１３（ｃ）に例示した３種類のレシートを受取ると、携帯電話機４０を操作し、アプリソフトを起動させる操作を行う。アプリソフトの起動を指示する操作が行われると、ＣＰＵ４０２は、記憶部４０５からアプリソフトを読み出して起動する。アプリソフトが起動されると、図１４に例示したメニュー画面が表示部４０８に表示される（図１１：ステップＳＣ１）。
【００３９】
メニュー画面が表示された後、携帯電話機４０のユーザがカメラ部４０９を図１３（ａ）に示したレシートの二次元シンボルへ向け、操作部４０７が有する「１」キーを押下すると（図１１；ステップＳＣ４；ＹＥＳ）、二次元シンボルを表す画像ファイルがカメラ部４０９にて生成される（ステップＳＣ５）。ＣＰＵ４０２は、画像ファイルが生成されると、生成された画像ファイルが表す二次元シンボルを解析する。そして、二次元シンボルに含まれている、ＪＡＮコード、日時、商品名、効能／効果／用途および商品の金額とを抽出する（ステップＳＣ６）。例えば、図１３（ａ）に例示した二次元シンボルを解析した場合、ＪＡＮコード「４９○○○○○×××××△」、日時「2005/03/31-PM1:00」商品名「○○風邪薬」、効能／効果／用途「風邪薬」、および商品の金額「６５０円」とが抽出される。ＣＰＵ４０２は、ステップＳＣ６の処理が終了すると、無線通信部４０６を制御し、記憶部４０５に記憶されている端末識別子（携帯電話機４０を一意に識別する識別子）と、抽出したＪＡＮコード「４９○○○○○×××××△」、日時「2005/03/31-PM1:00」、商品名「○○風邪薬」、効能／効果／用途「風邪薬」、および金額「６５０円」とをサービスサーバ装置５０へ送信する（ステップＳＣ７）。そして、ステップＳＣ１へ戻り、図１４のメニュー画面を表示する。
【００４０】
この携帯電話機４０から送信された端末識別子、ＪＡＮコード、日時、商品名、効能／効果／用途および金額とが、サービスサーバ装置５０の通信部５０６にて受信されると（図１２：ステップＳＤ１；ＹＥＳ）、ＣＰＵ５０２は、受信した端末識別子、ＪＡＮコード、日時、商品名、効能／効果／用途および金額とを対応付けて記憶部５０５に記憶させる（ステップＳＤ２）。
【００４１】
また、図１４に例示したメニュー画面が表示された後、携帯電話機４０のユーザがカメラ部４０９を図１３（ｂ）に示したレシートの二次元シンボルへ向け、操作部４０７が有する「１」キーを押下すると（図１１；ステップＳＣ４；ＹＥＳ）、二次元シンボルを表す画像ファイルがカメラ部４０９にて生成される（ステップＳＣ５）。ＣＰＵ４０２は、画像ファイルが生成されると、生成された画像ファイルが表す二次元シンボルを解析する。そして、二次元シンボルに含まれている、ＪＡＮコード、日時、商品名、効能／効果／用途および商品の金額とを抽出する（ステップＳＣ６）。例えば、図１３（ｂ）に例示した二次元シンボルを解析した場合、ＪＡＮコード「４９×××××○○○○○□」、日時「2005/03/31-PM1:00」、商品名「□□オムツ」、効能／効果／用途「成人用オムツ」および商品の金額「１６５０円」とが抽出される。ＣＰＵ４０２は、ステップＳＣ６の処理が終了すると、無線通信部４０６を制御し、記憶部４０５に記憶されている端末識別子と、抽出したＪＡＮコード「４９×××××○○○○○□」、日時「2005/03/31-PM1:00」、商品名「□□おむつ」、効能／効果／用途「成人用オムツ」および金額「１６５０円」とをサービスサーバ装置５０へ送信する（ステップＳＣ７）。そして、ステップＳＣ１へ戻り、図１４のメニュー画面を表示する。
【００４２】
この携帯電話機４０から送信された端末識別子、ＪＡＮコード、日時、商品名、効能／効果／用途および金額とが、サービスサーバ装置５０の通信部５０６にて受信されると（図１２：ステップＳＤ１；ＹＥＳ）、ＣＰＵ５０２は、受信した端末識別子、ＪＡＮコード、日時、商品名、効能／効果／用途および金額とを対応付けて記憶部５０５に記憶させる（ステップＳＤ２）。
【００４３】
次に、携帯電話機４０のユーザが、操作部が有する「２」キーを押下すると（ステップＳＣ８；ＹＥＳ）、携帯電話機４０は、医療費控除対象商品と、処方箋または医師の証明書が必要な医療費控除対象商品の一覧表を要求する一覧表要求メッセージと、記憶部４０５に記憶されている端末識別子とをサービスサーバ装置５０へ送信する（ステップＳＣ９）。
【００４４】
この一覧表要求メッセージと端末識別子とがサービスサーバ装置５０の通信部５０６にて受信されると（ステップＳＤ３；ＹＥＳ）、ＣＰＵ５０２は、受信した端末識別子と同じ端末識別子を記憶部５０５に記憶された端末識別子の中から検索する（ステップＳＤ４）。そして、同じ端末識別子を見つけると、端末識別子に対応付けて記憶されているＪＡＮコード、日時、商品名、効能／効果／用途および金額とを読出し、読み出したデータをＲＡＭ５０４に記憶させる（ステップＳＤ５）。例えば、携帯電話機４０が一覧表要求メッセージを送信すると、上述したように、携帯電話機４０が送信したＪＡＮコード「４９○○○○○×××××△」、日時「2005/03/31-PM1:00」、商品名「○○風邪薬」、効能／効果／用途「風邪薬」、金額「６５０円」と、ＪＡＮコード「４９×××××○○○○○□」、日時「2005/03/31-PM1:00」、商品名「□□おむつ」、効能／効果／用途「成人用オムツ」、金額「１６５０円」が記憶部５０５に記憶されているので、これらのデータがＲＡＭ５０４に記憶される。
【００４５】
次にＣＰＵ５０２は、商品名で特定される商品を、医療費控除対象の商品と、処方箋または医師の証明書が必要な医療費控除対象商品とに分類する。具体的には、まず、ＲＡＭ５０４に記憶されたＪＡＮコードと同じＪＡＮコードを医療費控除判定テーブルＴＢ２から検索し（ステップＳＤ６）、同じＪＡＮコードに対応付けて格納されている区分データを読み出す（ステップＳＤ７）。そして、読み出した区分データの内容に応じて、ＪＡＮコードおよびＪＡＮコードに対応付けられているデータを分類する（ステップＳＤ８）。
【００４６】
例えば、ＪＡＮコード「４９○○○○○×××××△」の場合、医療費控除判定テーブルＴＢ２において、このＪＡＮコードに対応付けられている区分データは「１」であるため、ＣＰＵ５０２は、ＪＡＮコード「４９○○○○○×××××△」と、このＪＡＮコードに対応付けてＲＡＭ５０４に記憶されている日時、金額、効能／効果／用途および商品名のデータを医療費控除対象に分類する。また、ＪＡＮコード「４９×××××○○○○○□」の場合、このＪＡＮコードに対応付けられている区分データは「２」であるため、ＣＰＵ５０２は、このＪＡＮコードと、このＪＡＮコードに対応付けられている日時、金額、効能／効果／用途および商品名のデータとを処方箋または医師の証明書が必要な医療費控除対象に分類する。
【００４７】
次にＣＰＵ５０２は、分類された各商品の金額を合計し、分類毎に合計金額を求める（ステップＳＤ９）。次にＣＰＵ５０２は、分類毎に領域を分けて、ステップＳＤ９で算出した合計金額、商品、各商品の金額、購入日時を表示する画面の画面データを生成する（ステップＳＤ１０）。例えば、上述したように、医療費控除対象に「○○風邪薬」が分類され、処方箋または医師の証明書が必要な医療費控除対象に「□□オムツ」が分類された場合、図１５に例示したように、医療費控除対象商品の合計金額「６５０円」と、処方箋または医師の証明書が必要な医療費控除対象商品の合計金額「１６５０円」とを表示し、また、医療費控除対象商品として、商品名「○○風邪薬」と、この商品の金額「６５０円」と、購入日時「2005/03/31-PM1:00」を表示し、処方箋または医師の証明書が必要な医療費控除対象商品の欄に商品名「□□オムツ」と、この商品の金額「１６５０円」と、購入日時「2005/03/31-PM1:00」を表示する画面データが生成される。
【００４８】
ＣＰＵ５０２は、画面データの生成が終了すると、生成した画面データを携帯電話機４０へ送信する。携帯電話機４０は、この画面データを受信すると（ステップＳＣ１０；ＹＥＳ）、この受信した画面データに基づいて表示部４０８を制御し、図１５に例示した画面を表示部４０８に表示させる。
【００４９】
本実施形態によれば、図１５に示したように、ドラッグストア等の店舗で購入した商品のうち、医療費控除対象商品の購入合計金額、購入履歴と、処方箋または医師の証明書が必要な医療費控除対象商品の購入合計金額と、購入履歴とが分類されて表示されるので、医療費控除を受けようとする者は、繁雑な作業を行わなくとも医療費控除対象商品の購入合計金額と、処方箋または医師の証明書が必要な医療費控除対象商品の購入合計金額とを容易に知ることが可能となる。
【００５０】
［変形例］
以上、本発明の実施形態について説明したが、本発明は上述した実施形態に限定されることなく、他の様々な形態で実施可能である。例えば、上述の実施形態を以下のように変形して本発明を実施してもよい。
【００５１】
上述した実施形態では、レシートを三枚に分けて出力しているが、三枚のレシートを一枚につなげて出力するようにしてもよい。また、このようにレシートを一枚に纏める場合、一つの二次元シンボルの中に医療費控除対象商品に関するデータと、処方箋または医師の証明書が必要な医療費控除対象商品のデータとを含ませるようにしてもよい。また、上述した実施形態においては、携帯電話機４０は、医療費控除対象商品に関するデータと、処方箋または医師の証明書が必要な医療費控除対象商品のデータとを二次元シンボルから抽出しているが、レシートに記述された文字列を読み取り、読み取った文字列から医療費控除対象商品に関するデータと、処方箋または医師の証明書が必要な医療費控除対象商品のデータとを抽出するようにしてもよい。
【００５２】
上述した実施形態において、サービスサーバ装置５０は、携帯電話機４０のユーザの電子メールアドレスを記憶し、確定申告の時期になると、医療費控除対象商品の購入金額の合計と、処方箋または医師の証明書が必要な医療費控除対象商品の購入金額の合計とを算出し、算出結果を電子メールで携帯電話機４０へ送信するようにしてもよい。
【００５３】
上述した実施形態においては、例えば、インターネット６０Ｂに接続可能なＰＤＡ（Personal Digital Assistance）やパーソナルコンピュータが二次元シンボルの読み取りやサービスサーバ装置５０とのデータの授受、医療費控除対象商品の購入合計金額と、処方箋または医師の証明書が必要な医療費控除対象商品の購入合計金額の表示を行うようにしてもよい。
【００５４】
携帯電話機４０において、年度を入力するようにし、入力された年度について医療費控除対象商品の購入合計金額と、処方箋または医師の証明書が必要な医療費控除対象商品の購入合計金額の表示を行うようにしてもよい。
【００５５】
医療費控除対象商品であるか否かの区分は、年度の途中で法律が改正されることにより変更される場合が考えられる。このため、図１６に示したように、各区分に当てはまる期間を示すデータを商品マスタテーブルに追加するようにしてもよい。例えば、図１６に示したテーブルの場合、「○○風邪薬」に対応して格納されている「2000/01/01-」の場合、「○○風邪薬」が２０００年の１月１日以降、医療費控除対象商品となっていることを示している。また、「□□オムツ」に関しては、期間として「2004/01/10-2005/02/01」と、「2005/02/02-」とが格納されているが、２００４年の１月１０日から２００５年お２月１日までは処方箋または医師の証明書が必要な医療費控除対象商品となっていて、２００５年の２月２日以降は、医療費控除対象外商品となっていることを示している。サービスサーバ装置５０は、現在日時とこれらの期間とを比較し、商品が医療費控除対象であるか否かを判断するようにしてもよい。
【００５６】
上述した実施形態においては、サービスサーバ装置５０は一覧表要求メッセージを受信すると医療費控除対象商品と、処方箋または医師の証明書が必要な医療費控除対象商品の一覧の画面データを生成し、生成した画面データを携帯電話機４０へ送信しているが、ＪＡＮコード、日時、商品名、効能／効果／用途、および金額とを受信した際に画面データを生成して携帯電話機４０へ送信するようにしてもよい。
【００５７】
上述した実施形態において実行される各プログラムは、通信ネットワークを介して各装置へ提供するようにしてもよい。また、これらのプログラムをＣＤ−ＲＯＭやＤＶＤ−ＲＯＭなどの記録媒体に記録して、サーバ装置２０やサービスサーバ装置５０へ提供するようにしてもよい。また、上述した実施形態では、携帯電話機４０にて実行されるプログラムはフラッシュメモリなどの電気的に書き換えが可能なメモリに記憶させるようにしてもよい。このような態様の場合には、携帯電話機４０は、移動体通信網６０Ａおよびインターネット６０Ｂを介してプログラムをダウンロードして記憶するようにしてもよい。また、携帯電話機４０やＰＯＳ端末１０にて実行されるプログラムをＣＤ−ＲＯＭやＤＶＤ−ＲＯＭなどの記録媒体に記録し、パーソナルコンピュータなどを用いてこれらの記録媒体からプログラムを読み出し、パーソナルコンピュータと接続して各装置にプログラムを記憶させるようにしてもよい。
【００５８】
上述した実施形態においては、医療費控除対象商品と、処方箋または医師の証明書が必要な医療費控除対象商品の分類、これら商品の一覧表の画面データ生成をサービスサーバ装置５０で行うようにしているが、これらの処理を携帯電話機４０で行うようにしてもよい。具体的には、医療費控除判定テーブルＴＢ２を携帯電話機４０の記憶部４０５に記憶させ、携帯電話機４０のＣＰＵ４０２が行う処理の流れを図１７に示したように変更する。また、携帯電話機４０が表示するメニュー画面を図１８に例示したように変更する。
【００５９】
携帯電話機４０のユーザがカメラ部４０９をレシートの二次元シンボルへ向け、操作部４０７が有する「１」キーを押下すると（図１７；ステップＳＣ４；ＹＥＳ）、二次元シンボルを表す画像ファイルがカメラ部４０９にて生成される（ステップＳＣ５）。ＣＰＵ４０２は、画像ファイルが生成されると、生成された画像ファイルが表す二次元シンボルを解析する。そして、二次元シンボルに含まれている、ＪＡＮコード、日時、商品名、効能／効果／用途および商品の金額とを抽出した後（ステップＳＣ６）、抽出したデータを記憶部４０５に記憶させる（ステップＳＣ２０）。
【００６０】
また、携帯電話機４０のユーザが、操作部が有する「２」キーを押下すると（ステップＳＣ８；ＹＥＳ）、医療費控除対象商品と、処方箋または医師の証明書が必要な医療費控除対象商品の一覧表を表示する処理を行う。まずＣＰＵ４０２は、記憶部４０５に記憶されたＪＡＮコード、日時、商品名、効能／効果／用途および金額とを読出し、読み出したデータをＲＡＭ４０４に記憶させる（ステップＳＣ２１）。
次にＣＰＵ４０２は、商品名で特定される商品を、医療費控除対象の商品と、処方箋または医師の証明書が必要な医療費控除対象商品とに分類する。具体的には、まず、ＲＡＭ４０４に記憶されたＪＡＮコードと同じＪＡＮコードを医療費控除判定テーブルＴＢ２から検索し（ステップＳＣ２２）、同じＪＡＮコードに対応付けて格納されている区分データを読み出す（ステップＳＣ２３）。そして、読み出した区分データの内容に応じて、ＪＡＮコードおよびＪＡＮコードに対応付けられているデータを分類する（ステップＳＣ２４）。
【００６１】
例えば、ＪＡＮコード「４９○○○○○×××××△」の場合、医療費控除判定テーブルＴＢ２において、このＪＡＮコードに対応付けられている区分データは「１」であるため、ＣＰＵ４０２は、ＪＡＮコード「４９○○○○○×××××△」と、このＪＡＮコードに対応付けてＲＡＭ４０４に記憶されている日時、金額、効能／効果／用途および商品名のデータを医療費控除対象に分類する。また、ＪＡＮコード「４９×××××○○○○○□」の場合、このＪＡＮコードに対応付けられている区分データは「２」であるため、ＣＰＵ４０２は、このＪＡＮコードと、このＪＡＮコードに対応付けられている日時、金額、効能／効果／用途および商品名のデータとを処方箋または医師の証明書が必要な医療費控除対象に分類する。
【００６２】
次にＣＰＵ４０２は、分類された各商品の金額を合計し、分類毎に合計金額を求める（ステップＳＣ２５）。次にＣＰＵ４０２は、図１２のステップＳＤ１０と同様に、分類毎に領域を分けて、ステップＳＣ２５で算出した合計金額、商品、各商品の金額、購入日時を表示する画面の画面データを生成する（ステップＳＣ２６）。ＣＰＵ４０２は、画面データの生成が終了すると、この生成した画面データに基づいて表示部４０８を制御し、例えば、図１５に例示したような画面を表示部４０８に表示させる（ステップＳＣ２７）。  このような態様によれば、サービスサーバ装置５０に記憶されたデータを第三者に持ち出される虞や盗み見される虞がなくなり、医薬品の購入履歴という個人情報が第三者に流出する虞が少なくなる。
【００６３】
また、上述した実施形態においては、ＰＯＳ端末１０は、ＪＡＮコードに替えて商品の区分データを含む二次元シンボルを生成し、生成した二次元シンボルを記録用紙（レシート）に印刷するようにしてもよい。この場合、携帯電話機４０のＣＰＵ４０２が行う処理の流れを図１９のように変更するのが好ましい。
具体的には、携帯電話機４０のユーザがカメラ部４０９をレシートの二次元シンボルへ向け、操作部４０７が有する「１」キーを押下すると（図１９；ステップＳＣ４；ＹＥＳ）、二次元シンボルを表す画像ファイルがカメラ部４０９にて生成される（ステップＳＣ５）。ＣＰＵ４０２は、画像ファイルが生成されると、生成された画像ファイルが表す二次元シンボルを解析する。そして、二次元シンボルに含まれている、区分データ、日時、商品名、効能／効果／用途および商品の金額とを抽出した後（ステップＳＣ６）、区分データと、抽出したデータとを対応付けて記憶部４０５に記憶させる（ステップＳＣ３０）。
【００６４】
また、携帯電話機４０のユーザが、操作部が有する「２」キーを押下すると（ステップＳＣ８；ＹＥＳ）、医療費控除対象商品と、処方箋または医師の証明書が必要な医療費控除対象商品の一覧表を表示する処理を行う。まずＣＰＵ４０２は、記憶部４０５に記憶された区分データ、日時、商品名、効能／効果／用途および金額とを読出し、読み出したデータをＲＡＭ４０４に記憶させる（ステップＳＣ３１）。次にＣＰＵ４０２は、読み出した区分データの内容に応じて、区分データに対応付けられているデータを分類する（ステップＳＣ３２）。例えば、商品名「○○風邪薬」の場合、この商品の区分データは「１」であるため、ＣＰＵ４０２は、商品名「○○風邪薬」と、商品名に対応付けてＲＡＭ４０４に記憶されている日時、金額、効能／効果／用途のデータを医療費控除対象に分類する。また、商品名「□□オムツ」の場合、この商品の区分データは「２」であるため、ＣＰＵ４０２は、商品名「□□オムツ」と、この商品名に対応付けられている日時、金額、効能／効果／用途のデータとを処方箋または医師の証明書が必要な医療費控除対象に分類する。
【００６５】
次にＣＰＵ４０２は、分類された各商品の金額を合計し、分類毎に合計金額を求める（ステップＳＣ３３）。次にＣＰＵ４０２は、図１２のステップＳＤ１０と同様に、分類毎に領域を分けて、ステップＳＣ３３で算出した合計金額、商品、各商品の金額、購入日時を表示する画面の画面データを生成する（ステップＳＣ３４）。ＣＰＵ４０２は、画面データの生成が終了すると、この生成した画面データに基づいて表示部４０８を制御し、例えば、図１５に例示したような画面を表示部４０８に表示させる（ステップＳＣ３５）。このような態様によれば、医薬品の購入履歴という個人情報が第三者に流出する虞が少なくなる。
【図面の簡単な説明】
【００６６】
【図１】本発明の実施形態に係る通信システムの全体構成図である。
【図２】ＰＯＳ端末１０の外観図である。
【図３】ＰＯＳ端末１０のハードウェア構成を示したブロック図である。
【図４】サーバ装置２０のハードウェア構成を示した図である。
【図５】商品マスタテーブルＴＢ１のフォーマットを例示したである。
【図６】携帯電話機４０のハードウェア構成を例示したブロック図である。
【図７】サービスサーバ装置５０のハードウェア構成を示したブロック図である。
【図８】医療費控除判定テーブルＴＢ２のフォーマットを例示した図である。
【図９】ＰＯＳ端末１０が行う処理の流れを例示したフローチャートである。
【図１０】サーバ装置２０が行う処理の流れを例示したフローチャートである。
【図１１】携帯電話機４０が行う処理の流れを例示したフローチャートである。
【図１２】サービスサーバ装置５０が行う処理の流れを例示したフローチャートである。
【図１３】ＰＯＳ端末１０が出力するレシートを例示した図である。
【図１４】携帯電話機４０が表示するメニュー画面を例示した図である。
【図１５】携帯電話機４０が表示する画面を例示した図である。
【図１６】本発明の変形例に係る商品マスタテーブルのフォーマットを例示した図である。
【図１７】本発明の変形例に係る携帯電話機４０の処理の流れを例示したフローチャートである。
【図１８】携帯電話機４０が表示するメニュー画面の変形例を示した図である。
【図１９】本発明の変形例に係る携帯電話機４０の処理の流れを例示したフローチャートである。
【符号の説明】
【００６７】
１０・・・ＰＯＳ端末、１０Ａ・・・ドロアユニット、１０Ｂ・・・操作部、１０Ｃ・・・第１液晶ディスプレイ、１０Ｄ・・・第２液晶ディスプレイ、１０Ｅ・・・プリンタ、１０Ｆ・・・バーコードスキャナ、２０・・・サーバ装置、３０・・・通信ネットワーク、４０・・・携帯電話機、５０・・・サービスサーバ装置、６０Ａ・・・移動体通信網、６０Ｂ・・・インターネット、１０２，２０２，４０２，５０２・・・ＣＰＵ、１０３，２０３，４０３，５０３・・・ＲＯＭ、１０５，２０５，４０５，５０５・・・記憶部、１０６，２０６，５０６・・・通信部、４０６・・・無線通信部。
【図１】
2006309273.tif 000003
【図２】
2006309273.tif 000004
【図３】
2006309273.tif 000005
【図４】
2006309273.tif 000006
【図５】
2006309273.tif 000007
【図６】
2006309273.tif 000008
【図７】
2006309273.tif 000009
【図８】
2006309273.tif 000010
【図９】
2006309273.tif 000011
【図１０】
2006309273.tif 000012
【図１１】
2006309273.tif 000013
【図１２】
2006309273.tif 000014
【図１３】
2006309273.tif 000015
【図１４】
2006309273.tif 000016
【図１５】
2006309273.tif 000017
【図１６】
2006309273.tif 000018
【図１７】
2006309273.tif 000019
【図１８】
2006309273.tif 000020
【図１９】
2006309273.tif 000021